(57)【要約】【課題】本体枠の前面側に装着された開閉扉枠を開放した際に発生し得る遊技球の球零れを防止した遊技機を提供する。【解決手段】遊技盤３が前面側に配設された本体枠２と、本体枠２の前面に開閉自在に装着された開閉扉枠４と、開閉扉枠４を本体枠２に対して閉止状態で施錠する錠装置６と、本体枠２に設けられ遊技球を払い出す球払出装置３２と、球払出装置３２から払い出される遊技球を流下させる球払出樋３３と、開閉扉枠４の前面に装着され遊技球を貯留する球受皿１２とを備え、開閉扉枠４を本体枠２へ閉止すると球受皿１２に設けられた球入口２８が球払出樋３３の終端部３３ａに連通し、球払出樋３３を流下する遊技球が球受皿１２へ誘導されるようにした遊技機であって、錠装置６を解錠操作する操作部８と、操作部８を操作した信号に基づいて球払出装置３２の遊技球払い出し動作を禁止する払出制御手段４６とを具備する。【選択図】図６
2010069037.tif 000002
【特許請求の範囲】
【請求項１】
遊技盤が前面側に配設された本体枠と、前記本体枠の前面に開閉自在に装着された開閉扉枠と、前記開閉扉枠を前記本体枠に対して閉止状態で施錠する錠装置と、前記本体枠に設けられ遊技球を払い出す球払出装置と、前記球払出装置から払い出される遊技球を流下させる球払出樋と、前記開閉扉枠の前面に装着され遊技球を貯留する球受皿とを備え、前記開閉扉枠を前記本体枠へ閉止すると前記球受皿に設けられた球入口が前記球払出樋の終端部に連通し、前記球払出樋を流下する遊技球が前記球受皿へ誘導されるようにした遊技機であって、
前記錠装置を解錠操作する操作部と、前記操作部を操作した信号に基づいて前記球払出装置の遊技球払い出し動作を禁止する払出制御手段とを具備することを特徴とする遊技機。
【請求項２】
遊技盤が前面側に配設された本体枠と、前記本体枠の前面に開閉自在に装着された開閉扉枠と、前記開閉扉枠を前記本体枠に対して閉止状態で施錠する錠装置と、前記本体枠に設けられ遊技球を払い出す球払出装置と、前記球払出装置から払い出される遊技球を流下させる球払出樋と、前記開閉扉枠の前面に装着され遊技球を貯留する球受皿とを備え、前記開閉扉枠を前記本体枠へ閉止すると前記球受皿に設けられた球入口が前記球払出樋の終端部に連通し、前記球払出樋を流下する遊技球が前記球受皿へ誘導されるようにした遊技機であって、
前記錠装置を解錠操作する操作部と、前記操作部の前面に設けられ該操作部を覆い隠す位置と露出させる位置とに変化するカバー部材と、前記カバー部材の位置を検知する位置検知器と、前記位置検知器の信号に基づいて前記球払出装置の遊技球払い出し動作を禁止する払出制御手段とを具備することを特徴とする遊技機。
【請求項３】
前記払出制御手段は、前記球払出装置の遊技球払い出し動作を一旦開始すると当該遊技球払い出し動作で予定していた所定個数の遊技球払い出しを完遂してから次回の遊技球払い出し動作を禁止することを特徴とする請求項１または請求項２に記載の遊技機。
【請求項４】
前記操作部は、生体情報取得装置を具備し、前記生体情報取得装置により取得した生体情報に基づいて前記錠装置を解錠操作することを特徴とする請求項１乃至は請求項３のいずれか一項に記載の遊技機。
【発明の詳細な説明】
【技術分野】
【０００１】
本発明は、本体枠の前面側に設けた開閉扉枠に遊技球を貯留する球受皿を装着し、該本体枠に設けた球払出装置から該球受皿へ遊技球が払い出されるようにした遊技機において、開閉扉枠を開放したときに球受皿に払い出される遊技球が零れ落ちないようにした遊技機に関するものである。
【背景技術】
【０００２】
遊技機の一種であるパチンコ遊技機としては、前面側に遊技盤を配設した本体枠が矩形枠状の機枠の前面に装着され、該本体枠の前面を覆う透明板保持枠等の開閉扉枠が該本体枠の前面に開閉自在に装着されているものがある。また、本体枠の裏面側には、貸球または賞球としての遊技球を払い出す球払出装置が配設され、この球払出装置には、払い出された遊技球を流下させる球払出樋が接続されている。一方、開閉扉枠の前面下部には、遊技球を貯留する球受皿が装着される。球受皿には、球入口が設けられており、この球入口の始端開口部は、前記開閉扉枠を閉止した状態において、前記球払出樋の終端部と連通するようになっている。これにより、球払出装置から払い出された遊技球は、球払出樋を流下し、該球払出樋の終端部から球入口を介して球受皿へ流入するようになっている。
【０００３】
ところで、このようなパチンコ遊技機では、遊技中に、遊技盤面、遊技球の発射レール、ファール球処理部等で球詰まりが発生した場合、または、球払出装置の上流側の球通路で球詰まりが発生した場合に、開閉扉枠を開放して球詰まりの解除作業を行なうようにしている。しかし、開閉扉枠を開放すると、前記球受皿の球入口の始端開口部が前記球払出樋の終端部から離間してしまうことから、球払出装置から払い出されて球払出樋を流下中の遊技球が、該球払出樋の終端部から零れ落ちてしまう問題があった。このような問題に対処するための従来技術としては、例えば、下記特許文献１にて開示されているものがある。
【特許文献１】特開２００２−１５３６４６号公報
【発明の開示】
【発明が解決しようとする課題】
【０００４】
上記特許文献１に記載された遊技機は、遊技機の前面側に開閉自在な開閉扉枠が設けられ、さらに、この開閉扉枠が開放されたことを検知する開放検知器が設けられている。また、遊技機の裏面には、貸球や賞球を払い出す球払出装置が設けられると共に、該球払出装置の遊技球払い出し動作を制御する払出制御回路が設けられている。そして、払出制御回路は、開放検知器が開閉扉枠の開放を検知すると、球払出装置の遊技球払い出し動作を直ちに停止するようにしている。
【０００５】
しかしながら、上記特許文献１に記載の遊技機では、開閉扉枠の開放の検知により、球払出装置からの遊技球の払い出しを直ちに停止しても、球払出樋には、開閉扉枠を開放する直前に球払出装置から払い出された遊技球がまだ残っている場合がある。すなわち、幾つかの遊技球が球払出樋を球受皿へ向かってまだ流下中である場合が発生してしまう。そして、このような状態のときに前面扉枠が開放されると、球受皿の球入口の始端開口部が球払出樋の終端部から離れてしまうことから、遊技球が球受皿へ誘導されなくなり、球払出樋の終端部から遊技機の外部へ零れ落ちていた。特に、多数の貸球や賞球が一度に払い出されている最中は、遊技球がほとんど途切れることなく球払出装置から連続的に払い出されている。このため、開閉扉枠の開放を検知したら直ちに球払出装置からの遊技球の払い出しを停止したとしても、球払出樋には流下中の遊技球がまだ存在しており、これら遊技球の球零れを回避できなかった。そこで本発明は、開閉扉枠の開放時に球零れが発生しないようにするために、球払出装置からの遊技球の払い出しを開閉扉枠の開放以前に停止することができる遊技機を提供することを目的とする。
【課題を解決するための手段】
【０００６】
上述した課題を解決するために、本発明の遊技機は、遊技盤が前面側に配設された本体枠と、前記本体枠の前面に開閉自在に装着された開閉扉枠と、前記開閉扉枠を前記本体枠に対して閉止状態で施錠する錠装置と、前記本体枠に設けられ遊技球を払い出す球払出装置と、前記球払出装置から払い出される遊技球を流下させる球払出樋と、前記開閉扉枠の前面に装着され遊技球を貯留する球受皿とを備え、前記開閉扉枠を前記本体枠へ閉止すると前記球受皿に設けられた球入口が前記球払出樋の終端部に連通し、前記球払出樋を流下する遊技球が前記球受皿へ誘導されるようにした遊技機であって、
前記錠装置を解錠操作する操作部と、前記操作部を操作した信号に基づいて前記球払出装置の遊技球払い出し動作を禁止する払出制御手段とを具備することを特徴とする。
【０００７】
また、本発明の遊技機は、遊技盤が前面側に配設された本体枠と、前記本体枠の前面に開閉自在に装着された開閉扉枠と、前記開閉扉枠を前記本体枠に対して閉止状態で施錠する錠装置と、前記本体枠に設けられ遊技球を払い出す球払出装置と、前記球払出装置から払い出される遊技球を流下させる球払出樋と、前記開閉扉枠の前面に装着され遊技球を貯留する球受皿とを備え、前記開閉扉枠を前記本体枠へ閉止すると前記球受皿に設けられた球入口が前記球払出樋の終端部に連通し、前記球払出樋を流下する遊技球が前記球受皿へ誘導されるようにした遊技機であって、
前記錠装置を解錠操作する操作部と、前記操作部の前面に設けられ該操作部を覆い隠す位置と露出させる位置とに変化するカバー部材と、前記カバー部材の位置を検知する位置検知器と、前記位置検知器の信号に基づいて前記球払出装置の遊技球払い出し動作を禁止する払出制御手段とを具備することを特徴とする。
【０００８】
さらに、本発明の遊技機において、前記払出制御手段は、前記球払出装置の遊技球払い出し動作を一旦開始すると当該遊技球払い出し動作で予定していた所定個数の遊技球払い出しを完遂してから次回の遊技球払い出し動作を禁止することを特徴とする。
【０００９】
また、本発明の遊技機において、前記操作部は、生体情報取得装置を具備し、前記生体情報取得装置により取得した生体情報に基づいて前記錠装置を解錠操作することを特徴とする。
【発明の効果】
【００１０】
本発明の遊技機は、操作部により錠装置を解錠操作すると、払出制御手段が、該操作部を操作した信号に基づいて球払出装置の遊技球払い出し動作を禁止するようになっている。これにより、開閉扉枠の開放操作よりも時間的に早い段階、すなわち操作部による錠装置の解錠操作の段階で、球払出装置の遊技球払い出し動作を停止することができるようになる。開閉扉枠を開放するには、まず、操作部によって錠装置の解錠操作を行ない、その後に、開閉扉枠の開放操作を行なう。従って、両操作の間には若干の時間がある。そして、錠装置が解錠操作されたときに球払出樋をまさに流下中の遊技球は、この時間内に該球払出樋の終端部まで流下し、球入口を介して球受皿へ誘導され、球受皿へ全て到達した状態になる。よって、開閉扉枠の開放操作のときには既に球払出樋に遊技球が存在せず、球受皿の球入口が球払出樋の終端部から離間しても、遊技球が遊技機の外部へ零れ落ちることが無くなる。
【００１１】
また、本発明の遊技機は、操作部を覆い隠す位置と露出させる位置とに変化するカバー部材を該操作部の前面に設け、該カバー部材の位置を位置検知器により検知するようにしている。そして、この位置検知器の信号に基づいて払出制御手段が球払出装置の遊技球払い出し動作を禁止するようになっている。通常、カバー部材は操作部を覆い隠している。そして、操作部を解錠操作する際には、それに先立ってカバー部材の位置を変化させ、操作部を露出させることになる。つまり、解錠操作よりも時間的に早い段階でカバー部材の位置を変化させる必要がある。従って、カバー部材の位置が操作部を露出させる位置に変化したら球払出装置の遊技球払い出し動作を禁止することで、遊技球を球払出樋から球受皿まで誘導するための時間をより長く確保できるようになる。よって、開閉扉枠を開放する以前に遊技球を球受皿へ確実に到達させることができ、これにより、開閉扉枠の開放時に遊技球が零れ落ちることをより確実に防止できるようになる。
【００１２】
さらに、本発明の遊技機において、前記払出制御手段は、前記球払出装置の遊技球払い出し動作を一旦開始すると当該遊技球払い出し動作で予定していた所定個数の遊技球払い出しを完遂してから次回の遊技球払い出し動作を禁止するようにしている。これにより、例えば、賞球として遊技者に付与される所定個数の遊技球の払い出しが、遊技球の払い出し動作の禁止により中途半端な状態で一時的に停止してしまうことがなくなる。よって、賞球の払い出しが不完全であると遊技者が誤解するなどのトラブルを未然に防止できる。また、遊技球の払い出し動作を途中で強制的に停止させるための割り込み処理をする必要がなくなり、払出制御を簡素化できる利点がある。
【００１３】
また、本発明の遊技機において、前記操作部は、生体情報取得装置を具備し、該生体情報取得装置により取得した生体情報に基づいて前記錠装置を解錠操作するようにしている。例えば、生体情報取得装置として指紋読取装置を用いると、該指紋読取装置が指の接近や押圧を検知したら、これから錠装置の解錠操作が行なわれると判断し、これに基づいて払出制御手段が球払出装置の遊技球払い出し動作を禁止するようにできる。すなわち、指紋の読み取りが実際に行なわれる段階（解錠操作の段階）よりも時間的に早い段階で球払出装置の遊技球払い出し動作を停止させることができるようになる。よって、球払出樋を流下中の遊技球を球受皿まで誘導するための時間をより長く確保し、開閉扉枠を開放する以前に遊技球を球受皿へ確実に到達させることができるようになる。これにより、開閉扉枠の開放時に遊技球が零れ落ちることをより確実に防止できるようになる。
【発明を実施するための最良の形態】
【００１４】
以下、本発明の遊技機の実施形態を図面に従って説明する。本発明の遊技機は、パチンコ遊技機、アレンジボール機、雀球機、パチスロ機等であって遊技媒体として遊技球を使用する遊技機に適用される。まず、本発明を適用したパチンコ遊技機の第一実施形態の概略構成について説明する。図１は本発明に係る遊技機を示す外観斜視図、図２は同遊技機の開閉扉枠を開放した状態を示す外観斜視図である。また、図３は同遊技機を示す裏面図である。
【００１５】
パチンコ遊技機Ｐは、縦長長方形状の機枠１の前側に本体枠２が開閉自在に装着され、この本体枠２の前面側に遊技盤３が配設される。そして、開閉扉枠としての透明板保持枠４が前記本体枠２の前面に装着され、該透明板保持枠４により、前記遊技盤３の前面および該遊技盤３の下方位置の前面側が覆われている。この透明板保持枠４は、本体枠２の一側部と該透明板保持枠４の一側部との間に設けられたヒンジ機構（図示せず）により該本体枠２に対して開閉自在となっている。本体枠２の他側部には、透明板保持枠４の開放を検知する開放検知器５が設けられる。さらに、本体枠２の他側部には、係止部６ａ，６ａ，６ａが設けられ、これら係止部６ａ，６ａ，６ａは、前記透明板保持枠４の他側部（開放側部）に設けられた鉤部６ｂ，６ｂ，６ｂと係合し、該透明板保持枠４を本体枠２に対して閉止した状態で施錠し得るようになっている。すなわち、これら各係止部６ａと各鉤部６ｂとにより錠装置６を構成している。また、本体枠２の上部には、前記錠装置６を解錠操作するための操作部８が装着され、この操作部は指紋読取装置９を備えている。指紋読取装置９は、指紋パターンを読み取ると共に該指紋パターンを予め登録しておいた指紋データと比較する。そして、両者が合致した場合に前記錠装置６が図示しない駆動モータにより解錠されるようになっている。
【００１６】
前記透明板保持枠４には、その上部から中間部に亘る部位に、前記遊技盤３の前面をパチンコ遊技機Ｐの前側から視認し得るようにするための透窓１０が形成され、この透窓１０には透明板１１が装着される。また、透明板保持枠４の前面下部には、遊技球を貯留するための球受皿１２が装着される。さらに、透明板保持枠４の前面下部であって前記球受皿１２の一側の下方には、後述する打球発射位置２４へ供給される遊技球の打球力を調整する打球力調整ハンドル１３が取着される。この打球力調整ハンドル１３には、遊技者の手が触れていることを検知するタッチセンサ１３ａと、遊技球の発射を停止させる停止ボタン１３ｂが設けられている。一方、透明板保持枠４の下部裏面には、打球供給装置１４が設けられると共に、ファール球を受け入れ処理する球受け樋部材１５が配置される。
【００１７】
前記遊技盤３の前面には、内レール１６ａおよび外レール１６ｂが略渦巻き状に敷設され、これら内レール１６ａと外レール１６ｂとで包囲することにより略円形状の遊技領域１７が形成される。遊技領域１７中央のやや上部位置には、液晶パネル等からなる電子ディスプレー１８が配置される。その下方には、一対の開閉翼片１９ａ，１９ａを備える始動入賞口１９が配置され、さらに、その下方には、前側へ自在に開閉する開閉扉２０ａを備える大入賞口２０が配置される。加えて、複数の普通入賞口２１，２１，…，２１が遊技領域１７の適宜箇所に設けられている。また、遊技領域１７の最下部にあたる内レール１６ａの内側には、遊技球をアウト球としてパチンコ遊技機Ｐの外部へ排出するアウト球口２２が設けられる。
【００１８】
前記本体枠２の下部前面には、前記打球供給装置１４と相対する位置に発射レール２３が設けられる。この発射レール２３は、その先端側が前記外レール１６ｂへ連なるように上傾している。一方、発射レール２３の基端側には、該発射レール２３の基端の打球発射位置２４に供給された遊技球を打撃発射するための電磁ソレノイド２５が装着される。また、本体枠２の下部の一側寄りには、通孔２６が開設される。この通孔２６は、前記透明板保持枠４を該本体枠２に対して閉止した際に、後述する前記球受皿１２の受皿部２８が挿通される。
【００１９】
前記球受皿１２には、その側壁部であって前記透明板保持枠４の前面側にあたる位置に球流入孔２７が開設される。そして、この球流入孔２７の裏面側に、球受皿１２への球入口としての受皿部２８が設けられる。この受皿部２８は、始端と終端が開口した中空状の部材であって、透明板保持枠４の裏面側へ突出するように設けられ、その始端開口部２８ａは上方へ向けて形成され、また、終端開口部は球受皿１２の球流入孔２７へ連通している。そして、この受皿部２８は、透明板保持枠４を本体枠２に対して閉止したときに前記通孔２６を介して該本体枠２の後側へ突出するようになっている。
【００２０】
前記本体枠２の裏面上部には、遊技球を貯留するための球タンク２９が設けられる。この球タンク２９の下部の一側には、該球タンク２９から排出される遊技球を導くタンクレール３０が本体枠２の一側へ向かって下傾するように設けられる。さらに、タンクレール３０の終端部には、本体枠２の一側に沿って遊技球を上方から下方へ誘導するカーブレール３１が設けられる。カーブレール３１の終端部には、後述する払出制御回路４５に制御されて作動する球払出装置３２が配置される。球払出装置３２の下流には、該球払出装置３２から排出された遊技球を前記球受皿１２へ向けて誘導する球払出樋３３が設けられる。この球払出樋３３の終端部寄りは、図４に示したように、前記本体枠２の裏面側に近接位置すると共に、略鉛直状に下方へ屈曲され、遊技球が下向きに排出されるようになっている。そして、球払出樋３３の終端部３３ａは、前記透明板保持枠４を本体枠２に対して閉止した状態で、前記球受皿１２の受皿部２８の始端開口部２８ａの直上に位置するようになっている。また、前記球払出樋３３には、前記球受皿１２が遊技球で満タンになったことを検知するための球検知器３４が設けられる。この球検知器３４は、球受皿１２が遊技球で満たされ、該球受皿１２に入りきらない遊技球が球払出樋３３内に停滞していることを検知することにより、球受皿１２が満タン状態であるとみなすものである。
【００２１】
図５は、本発明に係る遊技機のカーブレールと球払出装置を示す断面図である。前記カーブレール３１の内部は、連続したＳ字状に蛇行する球通路３５が該カーブレール３１の長手方向に沿って形成され、遊技球が該球通路３５内を一列に並んで流下するようになっている。また、球通路３５の中央寄りの一部は直線状に形成され、その側方に球検知器３６が設けられる。この球検知器３６は、前記球払出装置３２の作動によって払い出される遊技球が、該球払出装置３２の上流側に規定払出球数（例えば、２５個）確保されているか否かを検知する。
【００２２】
前記球払出装置３２は、上部から下部へ貫通する球通路３７が形成され、この球通路３７の始端部は前記球通路３５の終端部と合致している。球払出装置３２の中央部であって球通路３７の側方には、回転自在に軸支されたスプロケット３８が設けられる。このスプロケット３８の外周には複数の凹部３８ａ，３８ａ，…，３８ａが形成されている。これら凹部３８ａの各々は、球通路３７を上流から下流へ向けて流下する遊技球を一球ずつ受け入れ、これにより該凹部３８ａの外面下部が押され、スプロケット３８が回動される。また、スプロケット３８の外周には、各凹部３８ａに其々一つずつ対応する係止部３８ｂ，３８ｂ，…，３８ｂが形成されている。
【００２３】
前記スプロケット３８の上方であって球通路３７の始端寄りが蛇行している部位の側方に、電磁ソレノイド３９が設けられる。この電磁ソレノイド３９のプランジャー４０は下向きに設けられており、該プランジャー４０の先端には、係止突起４１が突設されている。この係止突起４１は、プランジャー４０が下向きに進出すると、前記スプロケット３８に形成された係止部３８ｂの一つと係合するようになっている。これにより、スプロケット３８が回動不能となって球通路３７内の遊技球の流下が制止される。すなわち、球払出装置３２の払出動作が停止される。一方、プランジャー４０が上向きに後退し、係止突起４１と係止部３８ｂとの係合が外れると、スプロケット３８が自由に回動できるようになって、球払出装置３２から遊技球が払い出される。
【００２４】
前記球通路３７の中間部であって前記スプロケット３８が設けられた部位には、球払出装置３２から払い出される遊技球の個数を計数するための球検知器４２が設けられる。さらに、球払出装置３２の下部には、球抜き操作のときに遊技球の流下方向を球抜き通路４３側へ変更するための振分片４４が設けられている。
【００２５】
このパチンコ遊技機Ｐでは、遊技者が打球力調整ハンドル１３を手で回動させると、球受皿１２の遊技球が発射レール２３の打球発射位置２４に一個ずつ供給され、それぞれ電磁ソレノイド２５により発射される。発射された遊技球は、外レール１６ｂおよび内レール１６ａに案内されて遊技領域１７の上部へ放出され、該遊技領域１７内を下方へ流下していく。遊技球が始動入賞口１９へ入賞すると、電子ディスプレー１８に表示される数字、記号等の図柄が変動を開始し、一定時間経過後に停止する。このとき、停止した図柄が例えば「７７７」といった特定の図柄に揃うと、いわゆる「大当り」という遊技者に有利な特別遊技状態になる。この状態になると、大入賞口２０の開閉扉２０ａが前方へ回動し、例えば、遊技球が１０個入賞するまで、または、３０秒間の開放状態になる。更に、これを１ラウンドとして一定の条件が継続される限り開閉扉２０ａの開放が最大１６ラウンドまで繰り返される。また、遊技球が始動入賞口１９、大入賞口２０、普通入賞口２１へ入賞すると、その種類に応じて所定個数の賞球が払い出される。すなわち、球払出装置３２が作動し、遊技球が球受皿１２へ払い出されるように構成されている。
【００２６】
次に、本発明の遊技機における遊技球払出制御について説明する。図６は、本発明に係る遊技機の遊技球払出制御の構成を示すブロック図である。払出制御回路４５は、貸球や賞球として遊技球の払い出しをする前記球払出装置３２の動作を制御する回路であり、演算処理を行なうＣＰＵ、払出制御手段４６としてのプログラムが記憶されたＲＯＭ、実行プログラム等を必要に応じて適宜読み書き可能なＲＡＭを備えている。この払出制御回路４５には、前記指紋読取装置９、前記透明板保持枠４の開放検知器５、前記球払出樋３３に設けられた球検知器３４、前記カーブレール３１の球通路３５に設けられた球検知器３６が接続されている。さらに、払出制御回路４５は、前記球払出装置３２の球通路３７に設けられた球検知器４２、および、該球払出装置３２の電磁ソレノイド３９が接続される。
【００２７】
発射制御回路４７は、遊技球を遊技領域１７へ発射するための制御をする回路であって、ロジック回路を構成する電子部品を備える。この発射制御回路４７には、前記打球力調整ハンドル１３に設けられたタッチセンサ１３ａおよび停止ボタン１３ｂが接続され、また、遊技球を打撃して発射するための前記電磁ソレノイド２５が接続されている。すなわち、発射制御回路４７は、打球力調整ハンドル１３の操作に基づいて電磁ソレノイド２５を作動させる。さらに、発射制御回路４７は、前記払出制御回路４５からの制御信号を受け取るようになっている。
【００２８】
次に、フローチャートに従って、本発明の遊技機における遊技球払出制御を説明する。図７は、遊技球払出処理のフローチャート図を示している。払出制御回路のＣＰＵは、まず、入賞による賞球発生等の払出要求があるか否かを判定し（Ｓ１１）、払出要求がある場合は（Ｓ１１のＹ）、当該払出要求に係る所定の遊技球数を、払い出すべき総遊技球数Ｎに加算する（Ｓ１２）。払出要求がない場合は（Ｓ１１のＮ）、この処理はスキップされる。次に、払い出すべき総遊技球数Ｎが０個を超えているか否か、すなわち、遊技球を払い出す必要があるか否かを判定する（Ｓ１３）。Ｎが０個を超えている場合（Ｓ１３のＹ）、つまり遊技球の払い出しが必要な場合は、払出許可確認処理を実行すると共に（Ｓ１４）、続けて、払出制御処理を実行する（Ｓ１５）。ここで、払出許可確認処理は、球払出装置３２が遊技球を払い出すことを許可するか又は禁止するかを判定する処理であり、また、払出制御処理は、前記払出許可確認処理の判定結果に応じて球払出装置３２への払出制御を行なう処理である。一方、Ｎが０個を超えていない場合（Ｓ１３のＮ）、すなわち遊技球の払い出しが不要な場合は、払出許可確認処理および払出制御処理はスキップされる。
【００２９】
図８は、払出許可確認処理を詳細に示すフローチャート図である。この払出許可確認処理では、遊技球の払出禁止フラグの設定または解除をする処理を、操作部８の指紋読取装置９、透明板保持枠４の開放検知器５、球受皿１２の満タン状態検知用の球検知器３４、球払出装置３２の規定払出球数の確保状態を検知する球検知器３６からの信号に基づいて行なう。まず、払出制御手段４６は、指紋読取装置９からの信号があるか否かの判定をする（Ｓ２１）。信号がある場合（Ｓ２１のＹ）、すなわち指紋読取装置が指の接近や押圧を検知した場合は、遊技球の払出禁止フラグを設定する（Ｓ２６）。指紋読取装置９からの信号がない場合は（Ｓ２１のＮ）、続いて、開放検知器５からの信号の有無判定により（Ｓ２２）、透明板保持枠４が本体枠２に対して、開放または閉止のいずれの状態であるかを判定する。開放検知器５からの信号がある場合（Ｓ２２のＹ）、つまり、透明板保持枠４が開放されている場合は、払出制御手段４６は遊技球の払出禁止フラグを設定する（Ｓ２６）。一方、開放検知器５からの信号がない場合（Ｓ２２のＮ）は、透明板保持枠４が閉止されていることが確認されたとして、次の判定処理へ移行する。
【００３０】
Ｓ２３では、払出制御手段４６は、球受皿１２が満タン状態であるか否かを球検知器３４の信号に基づいて判定する。球受皿１２が満タンのときは（Ｓ２３のＹ）、遊技球の払出禁止フラグを設定する（Ｓ２６）。一方、球受皿１２が満タンでなければ（Ｓ２３のＮ）、次の判定処理へ移行する。Ｓ２４において、払出制御手段４６は、球払出装置３２の球切れ発生の有無判定を球検知器３６の信号に基づいて行なう（Ｓ２４）。球切れが発生している場合（Ｓ２４のＹ）、すなわち、球払出装置３２の上流側に規定払出球数（例えば、２５個）の遊技球が確保されていない場合は、遊技球の払出禁止フラグを設定する（Ｓ２６）。一方、球切れでない場合は（Ｓ２４のＮ）、上述した全ての判定処理をクリアして遊技球の払い出し許可条件を満足していることが確認されたことになり、払出制御手段４６は遊技球の払出禁止フラグを解除する（Ｓ２５）。上述したように、払出制御手段４６は、遊技球の払出禁止フラグを設定または解除し、そして払出許可確認処理を終了する。
【００３１】
図９は、払出制御処理を詳細に示すフローチャート図である。この払出制御処理において、払出制御手段４６は、まず、前記払出許可確認処理により遊技球の払出禁止フラグが設定されたか否かの判定をする（Ｓ３１）。払出禁止フラグが設定されている場合は（Ｓ３１のＹ）、遊技球の払い出しをすることができないため、払出制御処理を直ちに終了する。一方、払出禁止フラグが設定されていない場合（Ｓ３１のＮ）、すなわち、遊技球の払い出しが許可されている場合は、今回の払い出し処理で一度に払い出す遊技球数の決定をする。すなわち、総払出球数Ｎと規定払出球数Ｍとを比較し（Ｓ３２）、総払出球数Ｎが規定払出球数Ｍよりも少ない場合は（Ｓ３２のＹ）、今回の払出球数ＩにＮを設定し（Ｓ３３）、対して、総払出球数Ｎが規定払出球数Ｍ以上の場合は（Ｓ３２のＮ）、今回の払出球数ＩにＭを設定する（Ｓ３４）。このように、一度に払い出される遊技球の個数は、最大で規定払出球数Ｍに設定される。
【００３２】
前記払出球数Ｉの設定を終えると、払出制御手段４６は、払い出された遊技球数のカウント変数Ｊを０に初期化し（Ｓ３５）、球払出装置３２へ払出開始信号を送信する（Ｓ３６）。これにより、球払出装置３２は遊技球の払い出しを開始する。Ｓ３７からＳ３９では、払い出された遊技球の個数をカウントする処理をしている。すなわち、球払出装置３２の球検知器４２からの信号の有無を判定し（Ｓ３７）、信号がなければ該信号の有無判定を繰り返し実行し（Ｓ３７のＮ）、信号があれば（Ｓ３７のＹ）、遊技球が一個払い出されたことになるので、カウント変数Ｊに１を加算する（Ｓ３８）。そして、カウント変数Ｊが、今回の払出球数Ｉに達したか否かを判定し（Ｓ３９）、まだ達していない場合は（Ｓ３９のＮ）、さらに、上記処理Ｓ３７およびＳ３８を繰り返し実行する。カウント変数Ｊが払出球数Ｉに到達した場合は（Ｓ３９のＹ）、今回の払出球数Ｉ個の遊技球払い出しが完了したと判定され、払出制御手段４６は、球払出装置３２へ払出停止信号を送信する（Ｓ４０）。これにより、球払出装置３２は遊技球の払い出しを停止する。すなわち、Ｓ３６にて球払出装置３２へ払出開始信号を送信し、遊技球の払い出しを一旦開始すると、Ｓ３７からＳ３９の処理が繰り返される。そして、払出球数Ｉ個の遊技球払い出し完了が確認されるまでは払出制御手段４６が遊技球の払出停止信号を球払出装置３２へ送信しないようになっている。最後に、払出制御手段４６は、総払出球数Ｎから今回払い出した払出球数Ｉを減算し（Ｓ４１）、払出制御処理を終了する。
【００３３】
上述したパチンコ遊技機では、操作部８の指紋読取装置９により指紋パターンを読み取り、該指紋パターンが予め登録しておいた指紋データと合致すると錠装置６が解錠され、透明板保持枠４を開放し得るようになっている。この際に、指紋読取装置９が指の接近や押圧を検知したら、これに基づいて、払出制御手段４６が球払出装置３２の遊技球払い出し動作を禁止するようにしている。これにより、透明板保持枠４の開放操作よりも時間的に早い段階で球払出装置３２の遊技球払い出し動作を停止させると共に、該球払出装置３２から払い出された直後であって、まだ球払出樋３３を球受皿１２へ向かって流下中の遊技球を球払出樋３３の終端部まで流下させて球受皿１２へ到達させることができるようになる。従って、透明板保持枠４を開放するときには、すでに球払出樋３３に遊技球が存在せず、該透明板保持枠４の開放により球受皿１２の球入口２８が球払出樋３３の終端部３３ａから離間しても、遊技球がパチンコ遊技機Ｐの外部へ零れ落ちることが無くなる。
【００３４】
さらに、上述のパチンコ遊技機の払出制御手段４６は、球払出装置３２の遊技球払い出し動作を一旦開始すると当該遊技球払い出し動作で予定していた所定個数の遊技球払い出しを完遂してから次回の遊技球払い出し動作を禁止するようにしている。これにより、例えば、賞球として遊技者に付与される所定個数の遊技球の払い出しが中途半端な状態で一時的に停止してしまうことがなくなる。よって賞球の払い出しが不完全であると遊技者が誤解するなどのトラブルを未然に防止できる。また、遊技球の払い出し動作を途中で強制的に停止させるための割り込み処理をする必要がなくなり、払出制御を簡素化できる。
【００３５】
なお、上述した第一実施形態において、払出制御手段は、指紋読取装置９への指の接近や押圧により該指紋読取装置９が待機状態（節電状態）から作動状態へ移行することを契機として球払出装置３２の遊技球払い出し動作を禁止するようにしてもよい。また、指紋読取装置９による実際の指紋パターン読み取り、すなわち、錠装置６の解錠操作そのものを契機として球払出装置３２の遊技球払い出し動作を禁止するようにしてもよい。さらには、指紋読取装置が指の接近や押圧を検知したら、所定の待ち時間が経過した後に錠装置を解錠するようにしてもよい。これにより、球払出樋３３内の遊技球を球受皿１２へ到達させるための時間をより長く確保でき、遊技球がパチンコ遊技機の外部へ零れ落ちる危険を一層抑えることができる。
【００３６】
また、上述した第一実施形態では、錠装置６を解錠操作する操作部８として、指紋読取装置９を具備するタイプの電気的な操作部を採用した構成を示したが、これに限るものではない。操作部８は、例えば、カード読取装置を具備する電気的な操作部でも良いし、あるいは、鍵孔に鍵を挿入して回動させるタイプの機械的な操作部を取り付け、その解錠操作を検知するようにしても当然良い。加えて、払出制御手段４６が遊技球払い出し動作を禁止すると同時に前記発射制御回路４７へ遊技球の発射禁止指令を送信するようにし、該発射制御回路４７が前記電磁ソレノイド２５の作動を停止させるようにすることが望ましい。これにより、発射された遊技球がパチンコ遊技機Ｐの外部に零れ落ちることも防止できる。
【００３７】
次に本発明の遊技機の第二実施形態について説明する。なお、第二実施形態に係る遊技機の概略構成および遊技球払出制御の構成は、上述した第一実施形態と略同一であって、その一部のみが異なっている。従って、第一実施形態と同一の構成については、同一の符号を付すことにより詳しい説明は省略し、異なる構成について説明する。図１０は第二実施形態に係る遊技機の操作部を示す拡大正面図である。また、図１１は同遊技機における遊技球払出制御の構成を示すブロック図、図１２は同遊技機における払出許可確認処理のフローチャート図である。
【００３８】
第二実施形態に係るパチンコ遊技機には、操作部８の前面にカバー部材４８が設けられ、該カバー部材４８はガイドレール４９，４９により摺動自在に支持されている。このカバー部材４８は、ガイドレール４９，４９の一方端寄り又は他方端寄りへ移動させることにより、前記操作部８の指紋読取装置９を覆い隠す位置（図１０のイ）と露出させる位置（図１０のロ）とに変化するようになっている。さらに、ガイドレール４９，４９の他方端寄り位置には、前記カバー部材４８の位置を検知する位置検知器５０が装着され、この位置検知器５０は、図１１のブロック図に示したように、払出制御回路４５へ接続されている。また、前記操作部８の一側には、透明板保持枠４または本体枠２のどちらを開放するかを切り替えるための切替ボタン５１が装着されている。遊技中に球詰まりが発生した場合、透明板保持枠４を開放して球詰まりの解除作業をすることが多い。つまり、本体枠２よりも透明板保持枠４を開閉する頻度の方が高い。そこで、切替ボタン５１を操作することなくカバー部材４８の位置を移動させたときは、解錠操作により透明板保持枠４が開放され、一方、切替ボタン５１を押圧操作してからカバー部材４８の位置を移動させると、本体枠２が開放されるようになっている。
【００３９】
図１２のフローチャート図に示したように、第二実施形態に係るパチンコ遊技機の払出制御手段４６は、カバー部材４８が指紋読取装置９を露出させる位置に変化したことを前記位置検知器５０の信号によって判定する（Ｓ５１）。そして、位置検知器５０の信号がある場合（Ｓ５１のＹ）、すなわち、指紋読取装置９が露出した場合は、遊技球の払出禁止フラグを設定する（Ｓ５６）。一方、位置検知器５０の信号がない場合は（Ｓ５１のＮ）、上述した第一実施形態と同様に、透明板保持枠４の開放検知器５の信号の有無判定（Ｓ５２）、球受皿１２の満タン状態検知用の球検知器３４からの信号の有無判定（Ｓ５３）、球払出装置３２の上流側における規定払出球数の確保状態を検知する球検知器３６からの信号の有無判定（Ｓ５４）、といった一連の判定処理を適宜実行する。そして、全ての判定処理をクリアし遊技球の払い出し許可条件を満足していることが確認されると、払出制御手段４６が遊技球の払出禁止フラグを解除する（Ｓ５５）。それ以外の場合には、払出制御手段４６が遊技球の払出禁止フラグを設定する（Ｓ５６）。
【００４０】
上述したように、第二実施形態に係るパチンコ遊技機では、カバー部材４８の位置が指紋読取装置９を露出させる位置に変化すると、これに基づいて、払出制御手段４６が球払出装置３２の遊技球払い出し動作を禁止するようになっている。通常、カバー部材４８は操作部８の指紋読取装置９を覆い隠しているから、解錠操作をする際には、それに先立ってカバー部材４８の位置を変化させ、指紋読取装置９を露出させなくてはならない。従って、指紋読取装置９で指紋を読み取る段階、すなわち、解錠操作をする段階よりも時間的に早い段階で、球払出装置３２の遊技球払い出し動作を停止させることができるようになる。これにより、球払出樋３３を流下中の遊技球を球受皿１２まで誘導するための時間をより長く確保し、該遊技球を球受皿１２へ確実に到達させることができる。よって、透明板保持枠４の開放により球受皿１２の球入口２８が球払出樋３３の終端部３３ａから離間しても、遊技球がパチンコ遊技機Ｐの外部へ零れ落ちることを確実に防止できる。
【００４１】
なお、上述した第二実施形態では、錠装置６を解錠操作する操作部８として、指紋読取装置９を具備するタイプの電気的な操作部を採用した構成を示したが、これに限るものではない。操作部８は、例えば、カード読取装置を具備する電気的な操作部でも良いし、あるいは、鍵孔に鍵を挿入して回動させるタイプの機械的な操作部でも当然良い。
【図面の簡単な説明】
【００４２】
【図１】本発明に係る遊技機を示す外観斜視図。
【図２】同遊技機の開閉扉枠を開放した状態を示す外観斜視図。
【図３】同遊技機の裏面図。
【図４】同遊技機の球受皿の受皿部と球払出樋の側面断面図。
【図５】同遊技機のカーブレールと球払出装置を示す断面図。
【図６】同遊技機の遊技球払出制御の構成を示すブロック図。
【図７】遊技球払出処理のフローチャート図。
【図８】払出許可確認処理のフローチャート図。
【図９】払出制御処理のフローチャート図。
【図１０】第二実施形態に係る遊技機の操作部を示す拡大正面図。
【図１１】同遊技機の遊技球払出制御の構成を示すブロック図。
【図１２】同遊技機の払出許可確認処理のフローチャート図。
【符号の説明】
【００４３】
Ｐ              パチンコ遊技機
２              本体枠
３              遊技盤
４              透明板保持枠（開閉扉枠）
５              開放検知器
６              錠装置
８              操作部
９              指紋読取装置
１２            球受皿
２８            受皿部（球入口）
２８ａ          始端開口部
３２            球払出装置
３３            球払出樋
３３ａ          終端部
３４            球検知器
３６            球検知器
４２            球検知器
４５            払出制御回路
４６            払出制御手段
４８            カバー部材
５０            位置検知器
５１            切替ボタン
【図１】
2010069037.tif 000003
【図２】
2010069037.tif 000004
【図３】
2010069037.tif 000005
【図４】
2010069037.tif 000006
【図５】
2010069037.tif 000007
【図６】
2010069037.tif 000008
【図７】
2010069037.tif 000009
【図８】
2010069037.tif 000010
【図９】
2010069037.tif 000011
【図１０】
2010069037.tif 000012
【図１１】
2010069037.tif 000013
【図１２】
2010069037.tif 000014